(57)【要約】      （修正有）【課題】飛散そのもの自体を解消するもので、飛散想定外域での損失を避ける液体飛散防止板を提供する。【解決手段】基端及びこの基端から横方向に延びた横片並びに該横片から下方向に傾斜状に垂下して構成された飛散防止片と、この飛散防止片を一定間隔にて上下に多数段積層して前記隣接する上下飛散防止片間の基端から横片に至って形成された液体流入口と、この液体流入口と連通し、且つ前記傾斜状に垂下した飛散防止片の下端が隣接する下段の飛散防止片の横片より下側に位置して形成された液体流出傾斜通路とで成したことを特徴としたものである。【選択図】図１
0003157296.tif 000002
【実用新案登録請求の範囲】
【請求項１】
基端及びこの基端から横方向に延びた横片並びに該横片から下方向に傾斜状に垂下して構成された飛散防止片と、この飛散防止片を一定間隔にて上下に多数段積層して前記隣接する上下飛散防止片間の基端から横片に至って形成された液体流入口と、この液体流入口と連通し、且つ前記傾斜状に垂下した飛散防止片の下端が隣接する下段の飛散防止片の横片より下側に位置して形成された液体流出傾斜通路とで成したことを特徴とした液体飛散防止装置。
【請求項２】
前記飛散防止片は、一枚の金属板をプレス加工によって基端を中心に水平方向に折り曲げて液体流入口及び横片を形成すると共に、該横片に飛散防止片の上端を固定したことを特徴とする請求項１記載の液体飛散防止装置。
【請求項３】
前記飛散防止片は、横片と飛散防止片とを一体的に形成して、左右支柱間に受具を介して一定間隔にて上下に多数段積層したことを特徴とする請求項１記載の液体飛散防止装置。
【考案の詳細な説明】
【技術分野】
【０００１】  本考案は塗料の噴射、或いは薬剤の散布、更には小便器での排尿等における液体の飛散を防止する液体飛散防止板に関する。
【背景技術】
【０００２】  一般的に塗料の噴射（吹付け）、薬剤の散布については所定の部分以外の周辺に塗料、薬剤が飛散しない様に、対策を施す必要があり、例えばビニールシート等で被い作業を行っている。
又、文献１に示す如く、小便器での排尿時の飛散を防ぐため、小便器の尿が当たる部分にスポンジ等の緩衝マットを設けるものも存在するが、定期的に緩衝マットの清掃、或いは取替え等の煩わしさは否定できない。
【先行技術文献】
【０００３】
【特許文献】
【特許文献１】  特開２００６−９４４４
【考案の概要】
【考案が解決しようとする課題】
【０００４】  液体の飛散から周辺を保護するための手段は、何れも液体の飛散を前提として被害の緩和、解消を企図するものであって、飛散そのもの自体を解消するものではなく、飛散想定外域での損失を避けることはできない。特に塗装での養生用シートが大量廃棄物となることも否定できないことへの課題を解決する。
【課題を解決するための手段】
【０００５】  本考案は、基端及びこの基端から横方向に延びた横片並びに該横片から下方向に傾斜状に垂下して構成された飛散防止片と、この飛散防止片を一定間隔にて上下に多数段積層して前記隣接する上下飛散防止片間の基端から横片に至って形成された液体流入口と、この液体流入口と連通し、且つ前記傾斜状に垂下した飛散防止片の下端が隣接する下段の飛散防止片の横片より下側に位置して形成された液体流出傾斜通路とで成したことを特徴としたものである。【０００６】  更に本考案は、飛散防止片は、一枚の金属板をプレス加工によって基端を中心に水平方向に折り曲げて液体流入口及び横片を形成すると共に、該横片に飛散防止片の上端を固定したことを特徴としたものである。【０００７】  又本考案は、前記飛散防止片は、横片と飛散防止片とを一体的に形成して、左右支柱間に受具を介して一定間隔にて上下に多数段積層したことを特徴としたものである。
【考案の効果】
【０００８】（１）請求項１により、例えば液体の吹付け塗装に際して液体飛散防止装置にて所定の領域を囲むことによって余分な噴射塗料は各々の液体流入口から飛散防止片の液体流出傾斜通路に至って止まり、塗料が不必要に拡散しないのである。【０００９】（２）請求項２により、一枚の金属板にて液体飛散防止装置を形成しているので、製造が簡単で、而も所定領域にも簡単に立てかけ設置ができる。【００１０】（３）請求項３により、左右支柱間に受具を介して所望数の飛散防止片を装備するので所定の領域に適応する液体飛散防止装置を簡単に製造することができる。
【図面の簡単な説明】
【００１１】
【図１】液体飛散防止装置の斜視図
【図２】同上の拡大部分断面図
【図３】同上の異なる実施例を示す拡大部分断面図
【図４】液体飛散防止装置の異なる実施例を示す斜視図
【図５】同上の部分拡大斜視図
【図６】同上の部分拡大斜視図
【考案を実施するための形態】
【００１２】  以下本考案を実施例として掲げた図面に基いて説明すると、図１は液体飛散防止装置を示す斜視図であって、一枚の金属板Ｐをプレス加工によって形成している。
具体的には、図２に示す如くプレス加工（打抜き加工）によって基端１ａを残して、この基端１ａを中心に水平方向に折り曲げて横片１を形成する。
而して、その折り曲げた横片１の面積分が液体流入口２となり、これを上下方向に所望数、多数段形成する。勿論、横片１は液体の流入がスムーズとなる様、下方向にやや傾斜角を成すことが望ましい。
【００１３】  この横片１の先端１ｂには下方向に傾斜状に垂下し飛散防止片３の基端３ａが固定されており、その下端３ｂは隣接する下段の飛散防止片３の横片１より下側に位置している。従って矢印Ｘ１、Ｘ２、Ｘ３にて示す如く、液体流入口２より流入した液体は如何なる角度からの流入においても飛散防止片３にて直進を阻止されることとなる。即ち所定外に噴出しないこととなる。図３は飛散防止片３を間欠的に設けたものである。
【００１４】  而して各横片１に飛散防止片３を一定間隔にて上下に多数段積層して隣接する上下飛散防止片３間の基端３ａから横片１に至る液体流入口２に連通して液体流出傾斜通路４を構成する。
具体的には、飛散防止片３の下端３ｂが隣接する下段の飛散防止片３の横片１より下側に位置することにより構成される。
【００１５】  図４は、液体飛散防止装置の他の実施例を示す斜視図であって、金属板、合成樹脂にて飛散防止片３と横片１とを一体的に形成し、左右支柱５，５間に一定間隔にて上下に多数段積層する。
而して、飛散防止片３と一体的に形成された横片１を支柱５に装備された受具６にて支持される。
具体的には図５，６に示す如く、受具６にボルト７を直立させ、飛散防止片３の横片１に挿通させて、ナット８にて締付け固定する。
この受具６は、例えばベルト９にて支柱５に締付け、面ファスナー１０にてセットする。
【００１６】  又、左右支柱５，５はベース１１に所定の間隔にて直立されることとなる。
而して、本考案液体飛散防止装置は塗料の噴射、薬剤の散布に止まらず、小便器での排尿等における液体の飛散を防止するためにも応用展開できるものである。
【符号の説明】
【００１７】Ｐ  金属板
１  横片
２  液体流入口
３  飛散防止片
４  液体流出傾斜通路
５  左右支柱
６  受具
【図１】
0003157296.tif 000003
【図２】
0003157296.tif 000004
【図３】
0003157296.tif 000005
【図４】
0003157296.tif 000006
【図５】
0003157296.tif 000007
【図６】
0003157296.tif 000008